(57)【要約】【課題】法枠格子内に日陰を発生させず、格子内に雨水等を溜めることなく、型枠内にコンクリート（又はモルタル）を充填する際にコンクリートの飛散、流出を防ぐことができ、コンクリート打設時の圧力で型枠の幅が広がることのない法枠用型枠及びこれを用いた斜面緑化用法枠施工方法を提供する。【解決手段】一対の金網からなる側枠２と、該側枠２間に上下２ヵ所で回動可能に取付けられた複数のスペーサ３とを有する法枠用型枠１において、前記側枠２は、法枠間に充填される緑化用植生基材と同じ高さであり、前記スペーサ３は、両端が前記側枠２に回動可能に連結された直線線材４と、両端が前記側枠２に回動可能に連結されるとともに中央が前記側枠２より高い山形線材５とからなり、前記山形線材５は、曲げ加工した１本の連続線材からなりその中央部に鉄筋７を位置決めして載置するための配筋部６を有する。【選択図】        図１
2004346616.tif 000002
【特許請求の範囲】
【請求項１】
一対の金網からなる側枠と、
該側枠間に上下２ヵ所で回動可能に取付けられた複数のスペーサとを有する法枠用型枠において、
前記側枠は、法枠間に充填される緑化用植生基材と同じ高さであり、
前記スペーサは、両端が前記側枠に回動可能に連結された直線線材と、
両端が前記側枠に回動可能に連結されるとともに中央が前記側枠より高い山形線材とからなり、
前記山形線材は、曲げ加工した１本の連続線材からなりその中央部に鉄筋を位置決めして載置するための配筋部を有することを特徴とする斜面緑化用法枠用型枠。
【請求項２】
一対の金網からなる側枠と、
該側枠間に少なくとも一方の側枠に対し上下２ヵ所で回動可能に取付けられた複数のスペーサとを有する法枠用型枠において、
前記側枠は、法枠間に充填される緑化用植生基材と同じ高さであり、
前記スペーサは、両端が前記側枠に回動可能に連結された直線線材と、
一端側が前記側枠に回動可能に連結されるとともに他端側が型枠の中央で前記側枠より高い少なくとも１本の山形線材とからなり、
前記山形線材は、その型枠の中央で鉄筋を両側から弾性的に挟んで保持する配筋部を有することを特徴とする斜面緑化用法枠用型枠。
【請求項３】
地山上に前記法枠用型枠を格子状に配設し、前記配筋部に前記鉄筋を装着した後に前記法枠用型枠内にコンクリート又はモルタルを中央が高い山形に打設し、法枠格子内に前記植生基材を前記側枠の高さまで充填することを特徴とする請求項１又は２に記載の法枠用型枠を用いた法枠施工方法。
【発明の詳細な説明】
【０００１】
【発明の属する技術分野】
本発明は、斜面安定化及び法面の緑化を図った法枠を形成する斜面緑化用法枠用型枠及びこれを用いた法枠施工方法に関する。
【０００２】
【従来の技術】
法面を安定化するために法枠工が用いられている。これは、地山斜面に矩形断面の法枠用型枠を平行あるいは格子状に設置し、この型枠内にコンクリート（又はモルタル）を現場で打設するものである。このような法枠工においては、法面の安定性を確保するとともに、できる限り周辺の環境との調和を図ることが要求される。このため法枠間を植生する植生工による緑化が図られている。
【０００３】
このような法枠間の植生を図った法枠用型枠が開示されている（例えば特許文献１）。この法枠は矩形断面形状で大型の型枠を用いるものである。一般に法枠格子間に充填する植生基材の高さ（厚さ）は５０ｍｍ程度とし、材料費の節約と植生基材吹付けの手間の軽減を図っている。しかしながら特許文献１に記載の法枠はその形状が小さくても１５０ｍｍ角であり、法枠格子間に充填する植生基材よりも高い（厚い）ため、格子内に日陰ができやすく、植物の成長にばらつきがあった。また、格子内に雨水等が溜まりやすく、植物の根腐れ等の原因となり、別途排水パイプ等の雨水排水手段を設ける等の手間がかかり、面倒であった。
【０００４】
一方、斜面の傾斜角度が緩い場合には簡易枠を用いて法枠を形成する（例えば特許文献２、特許文献３）。これらの簡易枠はその構成上、上記特許文献１に記載の法枠よりも低い法枠を形成することができるため、格子内の雨水等も流れやすく、日陰もできにくい。しかしながら、これらの簡易枠を斜面に載置して型枠内にコンクリートを充填する際、コンクリートが周囲に飛散、流出してしまい、作業者の技術如何によって法枠の形状が変わることが多く、確実で密実な法枠の形成ができず、一定形状の法枠を地盤に安定して定着させることが困難であった。また、飛散したコンクリートを回収する作業も必要となり、手間がかかり面倒であった。
【０００５】
このような型枠にコンクリート打設の際の飛散、流出を防ぐことを考慮した法枠形成用の枠体が開発されている（例えば特許文献４）。この枠体は簡易枠に側網を設けることにより、コンクリートを堰止めてコンクリートの飛散や流出を防ぐものである。しかしながら特許文献４に記載の枠体は、両側網を連結するサポート体が波形状に形成されているため、コンクリート打設圧力でこの波形状部が引き伸ばされて両側網間距離が広がってしまうことがある。したがってその法枠の大きさ（幅の広さ）は一定のものが形成されず全体が不揃いであり、斜面の景観が悪いものであった。
【０００６】
【特許文献１】
実公昭５４−２１８４４号公報
【特許文献２】
特許第２６９４３２６号公報
【特許文献３】
特開平８−２０９７０９号公報
【特許文献４】
特開２００２−３０９５８４号公報
【０００７】
【発明が解決しようとする課題】
本発明は上記従来技術を考慮したものであって、法枠格子内に日陰を発生させず、格子内に雨水等を溜めることなく、型枠内にコンクリート（又はモルタル）を充填する際にコンクリートの飛散、流出を防ぐことができ、コンクリート打設時の圧力で型枠の幅が広がることのない法枠用型枠及びこれを用いた斜面緑化用法枠施工方法の提供を目的とする。
【０００８】
【課題を解決するための手段】
前記目的を達成するため、本発明では、一対の金網からなる側枠と、該側枠間に上下２ヵ所で回動可能に取付けられた複数のスペーサとを有する法枠用型枠において、前記側枠は、法枠間に充填される緑化用植生基材と同じ高さであり、前記スペーサは、両端が前記側枠に回動可能に連結された直線線材と、両端が前記側枠に回動可能に連結されるとともに中央が前記側枠より高い山形線材とからなり、前記山形線材は、曲げ加工した１本の連続線材からなりその中央部に鉄筋を位置決めして載置するための配筋部を有することを特徴とする斜面緑化用法枠用型枠を提供する。
【０００９】
この構成によれば、格子枠内に充填する植生基材と同じ高さの金網からなる側枠を用いるので、形成されたコンクリート法枠は側枠と同じ高さの斜面に対する垂直部を有し、植生基材を充填する際の高さの目印となり、過不足のない植生基材の充填が可能になる。また、植生基材の下側（麓側）は法枠の垂直部に確実に堰止められるので、格子内から流出することはない。また、コンクリート（又はモルタル）打設時に側枠があるので、型枠外へのコンクリートの飛散、流出を防ぐことができる。また、スペーサに直線線材を用いることにより、コンクリート吹付け時に型枠内にその打設圧力が働いて両側枠を押し広げようとしても、その形状から直線線材が引き伸ばされることはないので、常に一定の幅を有する法枠を形成することができる。また、例えば、かまぼこ状の山形線材を覆うようにしてコンクリートを打設することにより形成された法枠は、植生基材充填後は垂直部が埋まって断面略半円形状のかまぼこ状に露出する。したがって、格子内の植生基材上の過剰な雨水は、法枠に堰止められることなく法枠を超えて下側（麓側）に流れるので、格子内の植物の根腐れ等を防ぐことができる。さらに、法枠は格子の内縁部の植生基材に対する日光を遮らないので、格子内にムラなく日光を当てて全体的に均一に植物を成長させることができる。
【００１０】
この場合、山形部材は１本の連続線材を曲げ加工して形成され、両端が側枠に回動可能に連結されるとともに、中央の頂部に例えば凹み等の鉄筋を位置決めして載置するための配筋部が形成される。施工時には、この配筋部に鉄筋を置いて結束することにより、鉄筋がスペーサ上に保持され、配筋の作業性が向上する。
【００１１】
さらに本発明では、一対の金網からなる側枠と、該側枠間に少なくとも一方の側枠に対し上下２ヵ所で回動可能に取付けられた複数のスペーサとを有する法枠用型枠において、前記側枠は、法枠間に充填される緑化用植生基材と同じ高さであり、前記スペーサは、両端が前記側枠に回動可能に連結された直線線材と、
一端側が前記側枠に回動可能に連結されるとともに他端側が型枠の中央で前記側枠より高い少なくとも１本の山形線材とからなり、前記山形線材は、その型枠の中央で鉄筋を両側から弾性的に挟んで保持する配筋部を有することを特徴とする斜面緑化用法枠用型枠を提供する。
【００１２】
この構成によれば、前述の頂部に凹み等の鉄筋載置用の配筋部を有する本発明の型枠と同様に、格子枠内に充填する植生基材と同じ高さの金網からなる側枠を用いるので、前述のとおり、形成されたコンクリート法枠は側枠と同じ高さの斜面に対する垂直部を有し、植生基材を充填する際の高さの目印となり、過不足のない植生基材の充填が可能になる。また、植生基材の下側（麓側）は法枠の垂直部に確実に堰止められるので、格子内から流出することはない。また、コンクリート（又はモルタル）打設時に側枠があるので、型枠外へのコンクリートの飛散、流出を防ぐことができる。また、スペーサに直線線材を用いることにより、コンクリート吹付け時に型枠内にその打設圧力が働いて両側枠を押し広げようとしても、その形状から直線線材が引き伸ばされることはないので、常に一定の幅を有する法枠を形成することができる。また、例えば、かまぼこ状の山形線材を覆うようにしてコンクリートを打設することにより形成された法枠は、植生基材充填後は垂直部が埋まって断面略半円形状のかまぼこ状に露出する。したがって、格子内の植生基材上の過剰な雨水は、法枠に堰止められることなく法枠を超えて下側（麓側）に流れるので、格子内の植物の根腐れ等を防ぐことができる。さらに、法枠は格子の内縁部の植生基材に対する日光を遮らないので、格子内にムラなく日光を当てて全体的に均一に植物を成長させることができる。
【００１３】
この場合、山形線材はその中央部で鉄筋を、例えば両側から弾発的に挟んで保持する配筋部を有するため、鉄筋の位置決めや結束等の配設作業が容易になる。
【００１４】
さらに、本発明では、前記本発明の斜面緑化用法枠用型枠を用いた法枠施工方法として、地山上に前記法枠用型枠を格子状に配設し、前記配筋部に前記鉄筋を装着した後に前記法枠用型枠内にコンクリート又はモルタルを中央が高い山形に打設し、法枠格子内に前記植生基材を前記側枠の高さまで充填することを特徴とする法枠用型枠を用いた法枠施工方法を提供する。
【００１５】
この構成によれば、前述の本発明の法枠用型枠を斜面上に設置してコンクリートを吹き付ける際、格子枠内に充填する植生基材と同じ高さの側枠を用いるので、前述と同様に、形成されたコンクリート法枠は側枠と同じ高さの斜面に対する垂直部を有し、植生基材を充填する際の高さの目印となり、過不足のない植生基材の充填が可能になる。また、植生基材の下側（麓側）は法枠の垂直部に確実に堰止められるので、格子内から流出することはない。また、コンクリート（又はモルタル）打設時に側枠があるので、型枠外へのコンクリートの飛散、流出を防ぐことができる。また、スペーサに直線線材を用いることにより、コンクリート吹付け時に型枠内にその打設圧力が働いて両側枠を押し広げようとしても、その形状から直線線材が引き伸ばされることはないので、常に一定の幅を有する法枠を形成することができる。また、例えば、かまぼこ状の山形線材を覆うようにしてコンクリートを打設することにより形成された法枠は、植生基材充填後は垂直部が埋まって断面略半円形状のかまぼこ状に露出する。したがって、格子内の植生基材上の過剰な雨水は、法枠に堰止められることなく法枠を超えて下側（麓側）に流れるので、格子内の植物の根腐れ等を防ぐことができる。さらに、法枠は格子の内縁部の植生基材に対する日光を遮らないので、格子内にムラなく日光を当てて全体的に均一に植物を成長させることができる。
【００１６】
【発明の実施の形態】
図１は本発明に係る法枠用型枠の概略図であり、図２は正面図である。
本発明に係る法枠用型枠１は、左右両側の金網からなる一対の側枠２とスペーサ３とにより構成される。側枠２は縦線と横線が交差する金網であり、その高さは法枠格子間に充填する植生基材９（図３）と同じ高さ（約５０ｍｍ）である。スペーサ３は、両端を左右の側枠（金網）２に回動可能に連結された直線線材４と山形線材５とにより形成される。各連結部は図示したように線材４，５の端部を折り返してフック状又はリング状に形成し、金網の縦線又は横線に巻きつけて回動可能に係止したものである。このため、型枠１は折畳んで側枠を重ね合わせることができ、搬送や取扱いが容易となる。なお、横線に係止する場合は、横方向に回動可能とするために大きなリング状として緩く巻きつける必要がある。
【００１７】
山形線材５は直線線材４よりも下方で側枠２と連結され、上側に凸のかまぼこ状又は略三角形状等の山形となるように中央が高く突出し、その頂部にＶ字形状に下側に凹む配筋部６が形成される。これにより、鉄筋７を配筋部６に載置するだけで鉄筋７の位置決めができ、これを結束することにより配筋作業ができる。このため、配筋作業が簡便となり、また鉄筋の位置決めも容易であるため作業性が向上する。スペーサ３を構成する直線線材４と山形線材５同士は左右２ヶ所で交差して溶接結合される。スペーサ３の形状を対称にするため、左右の結合部の直線線材４と湾曲線材５の前後位置は逆に交差する。
【００１８】
本発明に係る法枠用型枠１を用いて法枠を形成する場合、まず法面（不図示）に型枠１を載置する。この後、鉄筋７を配筋部６上に載置する。このとき、鉄筋７を必要に応じて山形線材５に結束する。次に、型枠１内にコンクリート（又はモルタル）を吹付けて充填する。このコンクリート（不図示）の打設は山形線材５を覆うようにしてかまぼこ状等に吹付けられる。
【００１９】
横枠として用いた場合、左右の側枠２により、充填されたコンクリートが傾斜した法面を流れ落ちることを防ぐことができる。また、直線線材４が両側枠２の距離を常に一定に保つため、コンクリートの打設圧力によって側枠２が広がることを防ぎ、型枠１としての形状を保持することができる。したがって形成される法枠が不揃いとなり斜面の景観が悪くなることはない。また吹付け作業者は山形線材５を目安として、コンクリートを吹き付けて法枠を形成することができるので作業を簡単かつ確実に行うことができるとともに、一定形状の外観上良好な法枠が得られる。
【００２０】
図３は本発明に係る法枠用型枠を用いて形成された法枠の概略図であり、（Ａ）は上面図、（Ｂ）は断面図である。
前述のようにして形成された法枠８は縦枠８ａと横枠８ｂからなり、格子状に形成される。この格子枠内には土と養分と種からなる植生基材９が充填され、格子内の緑化を図る。この植生基材９の高さ（厚さ）は必要十分量でかつ材料費の節約と植生基材吹付けの手間の軽減の観点から約５０ｍｍ程度充填される。この高さは側枠２と同じであるため、法枠８の垂直部１０とほぼ同じ高さとなる。したがって植生基材９を格子枠内に充填する際には垂直部１０を目安にすることができるので、過不足なく植生基材９を充填可能であり、植生基材９の下側（麓側）は垂直部１０に堰止められて確実に保持されるので、格子から流出することはない。
【００２１】
また、植生基材充填後に植生基材上に露出する法枠８は略半円形状となるため、格子内の植生基材９上の過剰な雨水は、法枠８を越えて下側（麓側）に流れる。このため、格子内の植物の根腐れ等を防ぐことができる。さらに、法枠８が植生基材９への日光Ｓを遮ることはないので、格子内で均一に安定した植物の成長を図ることができる。
【００２２】
図４は本発明に係る別の法枠用型枠を示す概略図であり、図５はその正面図、図６はその上面図である。なお、図６の網状側枠１２は簡略化して図示してある。
【００２３】
本実施例の法枠用型枠１１は金網からなる側枠１２とスペーサ１３で構成される。スペーサ１３は直線線材１４と、上側に湾曲する山形線材１５からなり、この山形線材１５は、中央部において対向する一対の弾性線材１５ａ及び固定線材１５ｂで形成される。線材１５ａ，１５ｂはそれぞれ頂部から鉛直に垂れ下がった互いに平行な鉛直部１６ａ，１６ｂを有する。両鉛直部１６ａ、１６ｂはともに、直線線材１４と交差する。一方の鉛直部１６ａは直線線材１４に固定されず、フリーである。したがって、線材自体の弾性により弾性を有する弾性線材１５ａが形成される。これに対向する側の鉛直部１６ｂは直線線材１４に溶接固定される。したがって、この鉛直部１６ｂ自体には弾性力は発生せず、固定線材１５ｂを形成する（ただし、相手の弾性線材１５ａに対する弾発反力は発生する）。この例では、固定線材１６ｂの下端は側枠１２の下端と同じか又はそれ以上の長さに形成される。これにより、鉛直部１６ｂの下端が斜面に当接あるいは差込まれてスペーサ１３を支持するので、鉄筋が直線線材１４上に載置された際に直線線材１４がその重みで撓んで変形することを防止できるとともに、これに伴い側枠１２が型枠１１の内側に倒れることを防止できる。
【００２４】
鉄筋１７は鉛直部１６ａ，１６ｂ間をスライドさせて落し込むことにより直線線材１４上に載置される。このとき、鉛直部１６ａ，１６ｂの間隔を鉄筋１７の直径よりも狭くしておくことにより、鉄筋１７はフリーな鉛直部１６ａを押し広げながらスライドする。このように所定の長さを有する鉛直部１６ａ，１６ｂに鉄筋１７を沿わせることにより、小さな力で弾性線材１５ａを弾性変形させることができるので、複数のスペーサ１３に対して効率よく鉄筋１７を配筋することができる。また、鉛直部１６ａ、１６ｂ間に挟まれて直線線材１４上に載置された鉄筋１７は、鉛直部１６ａの弾性により相手側の固定された鉛直部１６ｂに対し押圧されて弾性力により挟まれて保持される。したがって鉄筋１７の型枠１１への結束作業を省略することができるので、作業性が向上する。なお、必要に応じて鉄筋１７は型枠１１に結束してもよい。その他の構成およびその作用効果は図１の例と同様である。
【００２５】
スペーサ１３の山形部材１５は、中央部で２つの弾性線材１５ａ（すなわち鉛直部１６ａがフリーなもの）を対向させて形成してもよい。また、弾性線材１５ａ又は固定線材１５ｂの一方のみを設け、鉄筋に沿って交互に反対側の片側から弾性的に押圧しながら接触するように複数のスペーサを設置してもよい。なお、側枠の金網は、縦線と横線が交差するクリンプ金網や溶接金網に限定されず、エキスパンドメタルやパンチングメタル等の金網であってもよい。さらに、鉄筋を載置する配筋部や弾性的に挟んで保持する配筋部の形状の変更、金網とスペーサとの連結部の形状を変えるなど、この発明の技術思想内での種々の変更実施はもちろん可能である。
【００２６】
【発明の効果】
以上説明したように、本発明の法枠用型枠は、格子枠内に充填する植生基材と同じ高さの金網からなる側枠を用いるので、形成されたコンクリート法枠は側枠と同じ高さの斜面に対する垂直部を有し、植生基材を充填する際の高さの目印となり、過不足のない植生基材の充填が可能になる。また、植生基材の下側（麓側）は法枠の垂直部に確実に堰止められるので、格子内から流出することはない。また、コンクリート（又はモルタル）打設時に側枠があるので、型枠外へのコンクリートの飛散、流出を防ぐことができる。また、スペーサに直線の線材を用いることにより、コンクリート吹付け時に型枠内にその打設圧力が働いて両側枠を押し広げようとしても、その形状から直線線材が引き伸ばされることはないので、常に一定の幅を有する法枠を形成することができる。また、例えばかまぼこ状の山形線材を覆うようにしてコンクリートを打設することにより形成された法枠は、植生基材充填後は垂直部が埋まって断面略半円形状のかまぼこ状となる。したがって、格子内の植生基材上の過剰な雨水は、法枠に堰止められることなく法枠を超えて下側（麓側）に流れるので、格子内の植物の根腐れ等を防ぐことができる。さらに、法枠は格子の内縁部の植生基材に対する日光を遮らないので、格子内にムラなく日光を当てて全体的に均一に植物を成長させることができる。
【図面の簡単な説明】
【図１】本発明に係る法枠用型枠の概略図。
【図２】本発明に係る法枠用型枠の正面図。
【図３】本発明に係る法枠用型枠を用いて形成された法枠の概略図。
【図４】本発明に係る別の法枠用型枠の概略図。
【図５】本発明に係る別の法枠用型枠の正面図。
【図６】本発明に係る別の法枠用型枠の上面図。
【符号の説明】
１：法枠用型枠、２：側枠、３：スペーサ、４：直線線材、５：山形線材、
６：配筋部、７：鉄筋、８：法枠、９：植生基材、１０：垂直部、
１１：法枠用型枠、１２：側枠、１３：スペーサ、１４：直線線材、
１５：山形線材、１５ａ：弾性線材、１５ｂ：固定線材、
１６ａ，１６ｂ：鉛直部、１７：鉄筋。
【図１】
2004346616.tif 000003
【図２】
2004346616.tif 000004
【図３】
2004346616.tif 000005
【図４】
2004346616.tif 000006
【図５】
2004346616.tif 000007
【図６】
2004346616.tif 000008